(57)【特許請求の範囲】
【請求項１】
追焚運転モードのとき、風呂給湯器によって加熱された湯水が導入され且つ気泡運転モードのとき、浴槽内の湯水が導入される吸入室と、追焚運転モードで前記風呂給湯器によって加熱された追焚噴流を噴出する追焚噴流噴出口と、この追焚噴流噴出口を前記吸入室に連通する追焚噴流流路と、気泡運転モードで気泡噴流を噴出させる気泡噴流噴出口と、前記追焚噴流流路と区分され気泡噴流を噴出させる気泡噴流噴出口を前記吸入室に連通する気泡噴流流路と、前記追焚噴流流路と気泡噴流流路との噴流流路を切替える噴流流路切替手段とを備えると共に、要求されるモードとして、少なくとも追焚運転モードと気泡運転モードとを備え、追焚運転モードと気泡運転モードとに応じて浴槽に供給する噴出口を切替える循環アダプタであって、
前記噴流流路切替手段は、前記吸入室内部に噴流温度に感応する温度感応部材を有し、噴流温度が所定温度以上のとき、前記気泡噴流流路の湯水の流れを遮断し前記追焚噴流流路の湯水の流れを許容すると共に噴流温度が所定温度よりも低いとき、前記追焚噴流流路の湯水の流れを遮断し前記気泡噴流流路の湯水の流れを許容するように前記吸入室内部の噴流温度に応じて噴流流路を切替えることを特徴とする循環アダプタ。
【請求項２】
前記噴流流路切替手段は前記温度感応部材によって付勢される開閉可能な弁体を有し、この弁体は噴流温度の変化によって駆動されることを特徴とする請求項１に記載の循環アダプタ。
【請求項３】
気泡運転モード終了後、風呂給湯器を作動して噴流流路を追焚噴流流路に切替え可能とされることを特徴とする請求項１又は２に記載の循環アダプタ。
【請求項４】
前記気泡噴流噴流路に空気を供給する空気供給通路を設け、この空気供給通路と前記気泡噴流流路との連通状態を制御して気泡の量を調整する空気調整手段を有することを特徴とする請求項１〜３の何れか１項に記載の循環アダプタ。
【発明の詳細な説明】
【技術分野】
【０００１】
本発明は風呂給湯器から浴槽に湯水を供給するために浴槽に取付けて使用される循環アダプタに関し、特に、追焚噴流を噴出する追焚噴流噴出口と気泡噴流噴出口とを備えた循環アダプタに関するものである。
【背景技術】
【０００２】
従来、浴槽の風呂給湯システムは、風呂給湯器から新規な高温の湯水が供給される注湯運転モード、浴槽内の湯水を再度給湯器に戻して加熱、再供給する追焚運転モード、微細な気泡を湯水に混在させて微細気泡噴流を噴出させる気泡運転モード、更には、湯水に超音波振動を与えて噴出させる超音波運転モード等消費者のニーズに合せて様々な湯水の供給形態を有している。
【０００３】
これと合せて、浴槽内での自由度及び快適性確保等の観点より、浴槽に取付けられる湯水噴出口、所謂循環アダプタにおいてはアダプタ単体で複数の運転モードの噴流を実現可能としなければならない。例えば、追焚運転モードでは安全の側面から噴流が人に向かないよう浴槽下方に向けて噴出する必要がある一方、気泡運転モードや超音波運転モードでは噴流を人に向けて前方へ集中噴出する必要があり、これを一つの循環アダプタで運転モード毎に噴出方向を切替える必要がある。
【０００４】
特許文献１には、アダプタ本体の先端に装着される蓋体を回転摺動させることによって側面吐出穴を開閉させると共に、空気ノズル先端とオリフィスとの間隔を可変とすることで、浴槽壁面に沿った緩い吐出、集中吐出及び前方への気泡水流等使用者の好みに合った吐出方向選択ができる技術が提案されている。
【０００５】
特許文献２は、追焚運転モードと気泡運転モードとをコントローラの押し釦で切替えるもので、単体の接続ユニットに追焚運転モード用の下向き吐出口と気泡運転モード用の上向き吐出口とが設けられている。押し釦により、気泡運転モードから追焚運転モードへの切替え操作が入力されると夫々の専用流路に設けられた電磁弁に信号が送られて湯水流路が切替えられ、追焚運転モードの高温加熱された湯水は追焚運転モード用の下向き吐出口から噴出されることになる。尚、特許文献３では、複数の運転モードを有する単体のアダプタではなく、本発明とは前提の技術が異なるものであるものの、安全性確保のため形状記憶合金製のばねに支持される弁体により供給湯温度が極めて高い際には吐出口を強制的に絞る技術が提案されているように、高温湯水対応としては以前から種々の対策が存在している。
【０００６】
【特許文献１】実公平６−２００４９号公報
【特許文献２】特開２００７−２１２０４８号公報
【特許文献３】特開平８−２４７５５６号公報
【発明の開示】
【発明が解決しようとする課題】
【０００７】
特許文献１のアダプタでは、使用者の好みに合った吐出方向選択が可能であり、手動による回転操作であるため後付による設置には適している。しかしながら、人による判断及び操作が必要であることから、人の操作で最も可能性がある運転モード変更に伴う切替忘れ、間違いや勘違い等の人的要因による問題が存在している。
【０００８】
特許文献２の接続ユニットでは、コントローラの押し釦操作に基づくことから確実に気泡運転モードから追焚運転モードへの切替えが識別でき、これに連動して湯水流路の切替えが行われ、確実性は担保される。しかしながら、前述した運転モード機能の後付の場合では、押し釦の状態を接続ユニットの湯水流路の電磁弁に伝達する配線や通信工事等が大掛かりなものとなり、コストや費用の面で問題がある。また、押し釦操作での流路切替えでは、流路長、所謂湯水の移動時間に起因するタイムラグを解決できない。つまり、追焚運転モード終了直後気泡運転モードに切替えた場合、微細気泡噴流噴出口近傍の流路に残留する湯水は追焚運転モードの湯水であり、これが噴出されることになる。
また、特許文献３のアダプタは極めて温度の高い供給湯を絞ることから、湯水の供給がなくなり使用者がアダプタの故障ではないかと誤解を招く恐れも存在しているが、前提とする技術が異なることからここでの詳述は省略する。
【０００９】
本発明の目的は、追焚運転モードと気泡運転モードとを切替え可能な循環アダプタにおいて、実際に噴出口から噴出される噴流温度と選択された運転モードとの適合を循環アダプタ単体で自律制御可能とすることである。
【課題を解決するための手段】
【００１０】
請求項１の循環アダプタは、追焚運転モードのとき、風呂給湯器によって加熱された湯水が導入され且つ気泡運転モードのとき、浴槽内の湯水が導入される吸入室と、追焚運転モードで前記風呂給湯器によって加熱された追焚噴流を噴出する追焚噴流噴出口と、この追焚噴流噴出口を前記吸入室に連通する追焚噴流流路と、気泡運転モードで気泡噴流を噴出させる気泡噴流噴出口と、前記追焚噴流流路と区分され気泡噴流を噴出させる気泡噴流噴出口を前記吸入室に連通する気泡噴流流路と、前記追焚噴流流路と気泡噴流流路との噴流流路を切替える噴流流路切替手段とを備えると共に、要求されるモードとして、少なくとも追焚運転モードと気泡運転モードとを備え、追焚運転モードと気泡運転モードとに応じて浴槽に供給する噴出口を切替える循環アダプタであって、前記噴流流路切替手段は、前記吸入室内部に噴流温度に感応する温度感応部材を有し、噴流温度が所定温度以上のとき、前記気泡噴流流路の湯水の流れを遮断し前記追焚噴流流路の湯水の流れを許容すると共に噴流温度が所定温度よりも低いとき、前記追焚噴流流路の湯水の流れを遮断し前記気泡噴流流路の湯水の流れを許容するように前記吸入室内部の噴流温度に応じて噴流流路を切替えることを特徴としている。
【００１１】
請求項２の循環アダプタは、請求項１の発明において、噴流流路切替手段は温度感応部材によって付勢される開閉可能な弁体を有し、この弁体は噴流温度の変化によって駆動されることを特徴としている。
【００１２】
請求項３の循環アダプタは、請求項１又は２の発明において、気泡運転モード終了後、風呂給湯器を作動して噴流流路を追焚噴流流路に切替え可能とされることを特徴としている。
【００１３】
請求項４の循環アダプタは、請求項１〜３の何れか１項の発明において、気泡噴流噴流路に空気を供給する空気供給通路を設け、この空気供給通路と前記気泡噴流噴流路との連通状態を制御して気泡の量を調整する空気調整手段を有することを特徴としている。
【発明の効果】
【００１４】
請求項１の発明によれば、噴流流路切替手段の温度感応部材が循環アダプタ内の吸入室内部に設けられているため、実際に噴出口から噴出される噴流温度と選択された運転モードとの適合を循環アダプタ単体で判別し、自律制御することができる。つまり、循環アダプタ内で噴流温度を感応し噴流流路を切替えることによって、コントローラ等既存の設備から独立した自律動作が循環アダプタ単体で可能となり、運転モード機能を追加する場合であっても循環アダプタの付替えのみで良く、既存設備との作動連携のために必要な配管や通信等の工事が不要となる。しかも、追焚運転モードから気泡運転モードに切替えた際、噴出口近傍の流路に高温の湯水が残留している場合であっても、その残留湯水を追焚噴流噴出口から強制的に排出した後でなければ噴出口が切替えられないため、気泡噴流噴出口から適した温度の気泡噴流しか噴出されない。
【００１５】
請求項２の発明によれば、温度感応部材によって付勢される弁体により噴流流路の切替えを行うと共に、この弁体は温度変化によって開閉駆動されることから、温度変化の感応部材を弁体駆動源に兼用でき応答性及び部材の削減が両立できる。
【００１６】
請求項３の発明によれば、気泡運転モード終了後の噴出口を強制的に追焚噴流噴出口に切替えるため、再運転時における人体に向かう不意の吐出を予防できる。
【００１７】
請求項４の発明によれば、簡易な構成で気泡の量を調整する空気調整手段を得ることができ、コンパクトな循環アダプタを得ることができる。
【発明を実施するための最良の形態】
【００１８】
以下、本発明を実施する為の最良の形態について実施例に基づいて説明する。
【実施例】
【００１９】
図１に示すように、実施例の風呂供給システムは、浴槽１、風呂給湯器２、循環回路３及び循環アダプタ４から構成される。風呂給湯器２はガス等の燃焼部と熱交換部とからなる第１熱供給部５と風呂追焚用の第２熱供給部６と水や湯水を循環させるためのポンプ７とから構成され、夫々の機器はコントローラ８によって制御される。また、コントローラ８は操作パネル９に電気的に接続されており、使用者が操作パネル９上に設置されている運転モード毎に設けられた押し釦を押すことによって風呂の湯張指示や各種モード選択信号がコントローラ８に伝達され風呂給湯器２の作動が開始される。
【００２０】
給湯用である第１熱供給部５に関連する水や湯水の流通回路について説明する。導入路１０に導入された水が第１流量センサ１１を経て第１熱供給部５に供給され、排出路１２を通って浴槽１及びその他の給湯系装置に供給される経路となっている。
風呂追焚用である第２熱供給部６に関連する水や湯水の循環回路について説明する。循環回路３は復路１３と往路１４とから構成されている。ポンプ７の作動により循環アダプタ４から吸入された浴槽１の湯水は復路１３を経て第２熱供給部６で加熱されて往路１４を通り循環アダプタ４から浴槽１に供給される経路となっている。ポンプ７下流の復路１３には第２流量センサ１５が設けられ、安全上の観点から３．５Ｌ/分以上の流量がなければ第２熱供給部６の加熱動作は行われない。尚、排出路１２と復路１３とは分岐排出路１６で接続されており、その連通は電磁弁１７により制御される。
【００２１】
次に、循環アダプタ４について図２〜図８に基づいて説明する。
図２は循環アダプタ４の断面図、図３は循環アダプタ４の正面図を示す。
図２に示すように、循環アダプタ４は、浴槽１の外側に配設される第１筒状体１８と、浴槽１の内部側から槽壁１ａに貫通状に配設されて第１筒状体１８に螺合される第２筒状体１９とを有している。第１、第２筒状体１８，１９は夫々第１フランジ部１８ａと第２フランジ部１９ａとを備えており、環状パッキン２０，２１により槽壁１ａとフランジ部１８ａ，１９ａとのシール性を確保している。
第２筒状体１９の内周側には、第２フランジ部１９ａにボルト２２により固定される切替弁ケース２３が配設され、この切替弁ケース２３の表面には水平方向に開口する微細気泡噴流噴出口２４と吸込口２５とが設けられると共に、槽底方向に向かって後述する横穴状の追焚噴流噴出口２６が形成されている。循環アダプタ４の浴槽側表面部分には、第２フランジ部１９ａと切替弁ケース２３とを覆う形でカバー部２７が装着されている。
【００２２】
第１筒状体１８の端壁部２８には、吸入管２９と吐出管３０と吸気管３１の３つのポート部分が形成されており、吸入管２９は往路１４と、吐出管３０は復路１３とに夫々連結されている。吸気管３１は、フィルタ、オリフィス及び逆止弁等を備えた吸気ユニット３２と吸気パイプ３３を介して接続されている。吸気管３１の内部には、内部に空気を循環アダプタ４内に導くための第１吸気通路３４を備えた円柱状の第１吸気通路部材３５がシール材を介在させて嵌合状態で配置されている。
第２吸気通路部材３６は、第１吸気通路部材３５の浴槽側端部を覆う円筒形状であり、その反浴槽側一端を第１吸気通路部材３５と吸気管３１との間に挟持されると共に第１吸気通路部材３５の浴槽側端部との間に吸気室３７を形成する円筒部３６ａと、円筒部３６ａの浴槽側端部の外周方向に延設され、第１吸気通路３４からの空気を切替弁ケース２３の所定位置に導く第２吸気通路３９を形成する張出部３８とから構成されている。
【００２３】
切替弁ケース２３は、第２筒状体１９の内周面に嵌合する外筒部４０と、外筒部４０と協働して複数の機能空間を形成する内筒部４１とを備える。つまり、外筒部４０と内筒部４１とによって切替弁ケース２３内部には、微細気泡噴流噴出口２４が設けられる円柱状の旋回室４２及び吸込口２５が設けられる吸込室４３、更に、後述するように、旋回室４２と並設されると共に連通路４４で接続される旋回予備室４５、旋回予備室４５と並設されると共に追焚噴流噴出口２６と連通可能な供給室４６及び旋回予備室４５と供給室４６とに対して反浴槽側に直列状に配置される吸入室４７の５つの機能空間が存在している。
【００２４】
旋回室４２には浴槽側先端が円錐形状の吸気ノズル４８が反浴槽側端部を第２吸気通路部材３６の張出部３８に当接する状態で設置されている。この吸気ノズル４８の内部には張出部３８に形成される第２吸気通路３９と連通する吸気孔４９が設けられており、吸気孔４９から導入された空気を旋回室４２の長手方向中央部分に設けられた連通路開口４４ａに向けて供給するように構成されている。
【００２５】
切替弁ケース２３には内筒部４１を貫通し、外部からの空気導入量を制御する吸気切替部５１が設けられている。吸気切替部５１は、吸気弁５２と、この吸気弁５２を反浴槽側端部に固定する軸部５４と、この軸部５４の浴槽側端部に固定される切替ツマミ５３とで構成されている。吸気弁５２は第１吸気通路部材３５と第２吸気通路部材３６の円筒部３６ａとから構成される吸気室３７に配設され、円筒部３６ａに吸気弁５２のパッキン５２ａが着座すると吸気室３７と第２吸気通路３９との連通が遮断される。パッキン５２ａが離間すると吸気室３７の空気は吸気弁５２の外周及び軸部５４の周りの隙間を通って第２吸気通路３９に流れる。つまり、カバー部２７の表面に設置される切替ツマミ５３を押すと吸気弁５２が開いて旋回室４２への空気が供給され、切替ツマミ５３を引くと吸気弁５２が閉じて旋回室４２への空気が遮断されるように構成されている。切替ツマミ５３の押込み量の調整によって、空気の流入面積を増加させることができ、気泡の混入量を制御できるように構成されている。
尚、図５は循環アダプタ４を後方から見た図、図６は図２をVI−VI方向から見た図を示している。
【００２６】
図４に示すように、連通路４４はその接続方向が円柱状の旋回室４２に対して接線方向となるように連通されている。この構成により、旋回予備室４５から導入される湯水が旋回室４２の内周形状に沿って高速旋回することになり、空気の吸引、気泡の微細化及び所定周波数の超音波の発生等に適した旋回回転数を得ることができる。尚、本循環アダプタ４においては、旋回回転数を３０，０００〜４０，０００回転/分となるように構成されている。
旋回予備室４５には、連通路開口４４ａの反浴槽側にバネで付勢される逆止弁５０が設置されており、吸入室４７からの湯水の流れのみを許容している。
【００２７】
図７は、図３のVII−VII線断面を示す図である。
切替弁ケース２３には、内筒部４１を貫通し、湯水の噴出口を微細気泡噴流噴出口２４と追焚噴流噴出口２６とに切替え制御する噴出口切替部５５が設けられている。噴出口切替部５５は、第１切替弁５６と、この第１切替弁５６を浴槽側端部に固定する軸部５７と、この軸部５７の反浴槽側端部に固定される第２切替弁５８とで構成されている。
第１切替弁５６は反浴槽側にパッキン５９を備え、このパッキン５９は供給室４６と連通されると共に内筒部４１に形成される第１切替弁５６より小径で且つ、円筒形状の第１凹部６０を開閉可能としている。また、第１凹部６０の浴槽側には第１凹部６０より大径の第２凹部６１が一体的に形成され、この第２凹部６１は第１蓋部６２によって閉鎖されている。尚、第２凹部６１は第１切替弁５６が切替作動しても干渉しない空間が確保されている。軸部５７の中央部分は内筒部４１に形成された受部６３によって摺動可能に支持されている。
【００２８】
第２切替弁５８は、旋回予備室４５と吸入室４７との連通状態を制御する遮断部６５と、この遮断部６５に固定されるパッキン６４と、遮断部６５と並設され、吸入室４７と供給室４６とを常時連通させる連通部６６とで構成されている。第２切替弁５８の中央部位の軸部５７周辺には、第１切替弁５６側に形成される第１支持部６７と、吸入室４７側に形成される第２支持部６８とが構成されている。第１切替弁５６と第２切替弁５８との位置関係は、第１切替弁５６が第１凹部６０を閉鎖している時は第２切替弁５８の遮断部６５が開弁し、逆に、遮断部６５が旋回予備室４５を閉鎖している時は第１切替弁５６が開弁するようにされている。
受部６３に設けられる第１受座６９と第１支持部６７との間にはバイアスバネ７０が配置され、第２支持部６８と内筒部４１に装着される第２蓋部７１とに設けられた第２受座７２との間には形状記憶合金製バネ７３が配置されている。バイアスバネ７０と形状記憶合金製バネ７３との張力はバランスが保たれており、噴出口切替部５５の位置、所謂第１切替弁５６と第２切替弁５８との状態はバイアスバネ７０と形状記憶合金製バネ７３との何れかの張力が変わらない限り変化しないように構成されている。
【００２９】
具体的に説明すると、図８に示すように、湯水が低温或いは常温時では、形状記憶合金製バネ７３は収縮状態となっている。この時、第１切替弁５６は第１凹部６０を閉弁すると共に遮断部６５は開弁していることから湯水は旋回予備室４５、連通路４４を経て旋回室４２に供給される。次に、高温の湯水、例えば４８℃の湯水が循環アダプタ４内に供給されると、形状記憶合金製バネ７３が温度変化に感応して伸張し、バイアスバネ７０が圧縮されて、図７に示すように、第１切替弁５６が開弁し遮断部６５が閉弁する。
【００３０】
図９に基づいて、各運転モードにおける作動について説明する。
循環アダプタ４は、注湯運転モード、追焚運転モード、気泡運転モード及び超音波運転モードの４つの運転モードが実行可能である。尚、操作パネル９上では、気泡運転モードと超音波運転モードとは同一の気泡・超音波運転モードの押し釦として兼用されており、使用者は前記気泡・超音波運転モード選択をした後、吸気切替部５１の操作で何れかの運転モードを選択するようになっている。
【００３１】
（注湯運転モード）  
操作パネル９で注湯運転モードを選択すると、水が導入管１０に導入され第１熱供給部５に移動した水は加熱された後、排出管１２に進行する。この時、コントローラ８の指示により、電磁弁１７が開作動して湯は分岐排出管１６を経由して復路１３に導かれて一部の湯水は復路１３から循環アダプタ４へ導入され、吸込口２５から供給される。尚、吸込口２５から湯水が供給されるのは注湯運転モードの時のみである。
また、残りの湯水は往路１４を通り吸入室４７に導入される。吸入室４７に導入された湯水の温度（例えば、５０℃）を吸入室４７内部に設置された形状記憶合金製バネ７３が温度感応して伸張し、第２切替弁５８が旋回予備室４５への経路を遮断すると共に第１切替弁５６を開作動する。湯水を供給室４６、第１凹部６０及び第２凹部６１を経由した後、浴槽下向きの追焚噴流噴出口２６に送られる。以上により浴槽への注湯が行われる。
【００３２】
（追焚運転モード）
追焚運転モードを選択すると、コントローラ８の指示によりポンプ７及び第２熱供給部６が作動を開始し、浴槽内の湯水を吸込口２５から復路１３に導入する。第２熱供給部６により加熱された湯水は往路１４を通り吸入室４７に導入される。吸入室４７以降の経路は注湯運転モードと同様である。尚、電磁弁１７は非作動となっており、分岐排出管１６と循環回路３との接続は遮断されている。
【００３３】
（気泡運転モード）
操作パネル９上で気泡・超音波運転モードを選択した後、吸気切替部５１の切替ツマミ５３を押すことで気泡運転モードを選択することができる。コントローラ８がポンプ７を作動させ、浴槽内の湯水を吸込口２５から吸込室４３を経て復路１３に導入する。この時、第２熱供給部６は作動しておらず、復路１３に導入された温度のまま湯水は循環し往路１４を通り吸入室４７に導入される。吸入室４７内部に設置された形状記憶合金製バネ７３がこの湯水温度に感応して、残留している湯水の温度により形状記憶合金製バネ７３が伸張している場合は収縮動作を行い、第１切替弁５６を閉弁すると共に第２切替弁５８を開弁動作させる。尚、既に形状記憶合金製バネ７３が収縮している場合は、その状態を維持することになる。
吸入室４７から旋回予備室４５に入った湯水は連通路４４を通り連通路４４ａから旋回室４２に導入される。
連通路４４は旋回室４２の接線方向に接続されているため、湯水は旋回室４２の長手方向の中心軸を中心に高速旋回を行い、所定の負圧が旋回室４２内に発生する。この負圧により吸引された空気は吸気ユニット３２から吸気パイプ３３、第１吸気通路３４を通って吸気室３７に到達する。更に、この空気は吸気弁５２と円筒部３６ａとの隙間を通り、張出部３８と軸部５４との隙間を経由して第２吸気通路３９に至る。この第２吸気通路３９を通った空気は吸気孔４９から旋回室４２の中央部分に吸引され、湯水と混合されることになる。この微細気泡混合湯水が旋回しながら水平方向に開口する微細気泡噴流噴出口２４から噴出される。
また、コントローラ８は操作パネル９の操作によって気泡運転モード終了を検知すると、ポンプ７及び第２熱供給部６を所定時間作動するように構成されている。この一時加熱制御は、後から使用する場合の安全性確保のために、湯水の噴出口を強制的に追焚噴流噴出口２６に切替えるものである。従って、ポンプ７及び第２熱供給部６の作動時間は噴出口が変更されるのに十分であれば良く、短時間とされている。
【００３４】
（超音波運転モード）  
最後に、超音波運転モードについて説明する。気泡運転モードと同様に操作パネル９上で気泡・超音波運転モードの押し釦を選択操作した後、吸気切替部５１の切替ツマミ５３を引く操作を行うことで、超音波運転モードを実行することができる。湯水の進行経路は気泡運転モードと同様であるが、切替ツマミ５３を引くことで吸気弁５２が第２吸気通路３９へ向かう空気の経路を遮断しており、湯水への空気混入が行われないように構成されている。この旋回室４２内の湯水の旋回回転数を３０，０００〜４０，０００回転/分になるように設定していることから、噴出される湯水の振動特性は周波数16ＫＨｚ以上、音圧１１５ｄＢ〜１４０ｄＢである。
【００３５】
次に、前記実施例を部分的に変更した変形例について説明する。
１〕前記実施例においては、４つの運転モードを実現可能な例について説明したが、追焚運転モードと気泡運転モードとの２つの運転モードを備えるもの或いは、更に多くの運転モードを備えるものについても、本発明の循環アダプタを適用できる。
【００３６】
２〕前記実施例においては、吸気切替部の押し操作、引き操作による２段階操作で気泡量を調整する例について説明したが、吸気切替部に複数の節度感を持たせて積極的に多段階の位置固定ができる仕様としても良く、また、吸気弁周りの構造変更により導入される空気の増減傾向を変えて気泡の大きさを変更するものでも、本発明の循環アダプタを適用できる。
【００３７】
３〕前記実施例においては、温度感応部材が噴出口切替部の作動駆動源を兼ねる形状記憶合金製バネの例について説明したが、温度感応部材と噴出口切替部の作動駆動源とを独立させたものについても、本発明の循環アダプタを適用できる。
【００３８】
４〕前記実施例においては、追焚噴流噴出口と微細気泡噴流噴出口とを切替える第１切替弁と第２切替弁とを同軸上に設けた例について説明したが、２つの弁を独立して備えるものについても、本発明の循環アダプタを適用できる。
【００３９】
５〕その他、当業者であれば、本発明の趣旨を逸脱することなく、前記実施例に種々の変更を付加した形態で実施可能であり、本発明はそのような変更形態も包含するものである。
【図面の簡単な説明】
【００４０】
【図１】実施例の風呂給湯システムの全体説明図である。
【図２】循環アダプタの断面図である。
【図３】循環アダプタの正面図である。
【図４】循環アダプタのカバー部を外した正面図である。
【図５】循環アダプタの後ろから見た背面図である。
【図６】図２におけるVI−VI線断面を示す図である。
【図７】図３におけるVII−VII線断面を示す図である。
【図８】図７における気泡運転モード作動を説明する図である。
【図９】運転モードの作動説明図である。
【符号の説明】
【００４１】
１      浴槽
２      風呂給湯器
４      循環アダプタ
６      第２熱供給部
１３    復路
１４    往路
２４    微細気泡噴流噴出口
２５    吸込口
２６    追焚噴流噴出口
３５    第１吸気通路部材
３６    第２吸気通路部材
３７    吸気室
４２    旋回室
４３    吸込室
４４    連通路
４５    旋回予備室
４６    供給室
５１    吸気切替部
５２    吸気弁
５５    噴出口切替部
６０    第１凹部
６１    第２凹部
７３    形状記憶合金製バネ
【図１】
0005176586.tif 000002
【図２】
0005176586.tif 000003
【図３】
0005176586.tif 000004
【図４】
0005176586.tif 000005
【図５】
0005176586.tif 000006
【図６】
0005176586.tif 000007
【図７】
0005176586.tif 000008
【図８】
0005176586.tif 000009
【図９】
0005176586.tif 000010